(57)【要約】【課題】アドレスからインパクトするまでのスイングプレーンの安定化が図れ、インパクト時に安定した打球が得られるゴルフクラブを提供する。【解決手段】本発明のゴルフクラブは、トウ部７ｃ、ヒール部７ｄ、ソール部７ｂ及びボールを打球するフェース部７ｆを具備したヘッド７と、ヘッド７に対して所定のライ角で装着されるシャフト５とを有する。そして、ソール部７ｂに沿ってヒール側からヘッド中央部に亘って延出すると共に、ヘッド中央部からトウ側に向けて、ライ角を規定する基準水平面Ｐに対し上昇するように重量集中部１５を設けたことを特徴とする。【選択図】    図７
2006122371.tif 000002
【特許請求の範囲】
【請求項１】
トウ部、ヒール部、ソール部及びボールを打球するフェース部を具備したヘッドと、前記ヘッドに対して所定のライ角で装着されるシャフトとを有するゴルフクラブであって、
前記ソール部に沿ってヒール側からヘッド中央部に亘って設けられると共に、前記ヘッド中央部からトウ側に向けて、前記ライ角を規定する基準水平面に対し上昇するように設けられる重量集中部を備えたことを特徴とするゴルフクラブ。
【請求項２】
前記フェース部にはスコアラインが形成されており、前記重量集中部は前記スコアラインの中央線よりもトウ側で上昇することを特徴とする請求項１に記載のゴルフクラブ。
【請求項３】
前記重量集中部は、前記中央線上にある打点位置を通り、前記ライ角以上の角度となるスイングプレーンに沿った軸線に対して略対称な形状を有することを特徴とする請求項２に記載のゴルフクラブ。
【請求項４】
前記重量集中部は、前記トウ側及びヒール側の肉厚よりも、ヘッドの中央領域の肉厚を厚くしたことを特徴とする請求項１から３のいずれか１項に記載のゴルフクラブ。
【発明の詳細な説明】
【技術分野】
【０００１】
本発明は、ゴルフクラブに関し、詳細には、アイアンヘッドを備えたゴルフクラブに関する。
【背景技術】
【０００２】
従来、アイアンヘッドを備えたゴルフクラブには、ヘッドの内部に重量体を配置することで低重心化を図り、打球を高弾道にして飛距離の向上を図るようにしたものが知られている。例えば、特許文献１には、ヘッドのソール部に、高比重金属からなる重量体をトウ・ヒール方向に沿って埋設したゴルフクラブが開示されており、また、特許文献２には、ヘッドのソール部に、トウ・ヒール方向に沿って凹所を形成し、この部分に重量体であるウェイト部材を圧入、嵌合したゴルフクラブが開示されている。
【０００３】
このようなヘッドを装着したゴルフクラブによれば、ヘッド全体として重心位置が下がるため、振り抜き易くなると共に、打球時にフェースが上下方向にぶれることがなくなって、高弾道な打球が得られるようになる。
【特許文献１】特開平１１−２０６９２９号
【特許文献２】特開２０００−５３５６号
【発明の開示】
【発明が解決しようとする課題】
【０００４】
通常、打球時におけるゴルファーの一連のスイングは、図１に示すように、アドレスからバックスイングに入り、トップ位置に至ってダウンスイングに移り、ボールをインパクトした後、フォロースルー及びフィニッシュとなる。そして、この一連のスイング過程において、バックスイングしてボールをインパクトするに至るまでのヘッドの軌跡、いわゆるスイングプレーンを安定化させることにより、打球時に所定の位置（スイートスポット）でボールを捕らえることが容易になると考えられる。換言すれば、ダウンスイングに移行してからインパクトするまでのスイングプレーンが安定していないと、所定の位置でボールが捕らえ難くなってしまう。
【０００５】
このスイングプレーンは、一般的に、図２に示すように、ゴルファーの側面から見た状態で、アドレス時にゴルフクラブをライ角αに合わせてセットした際のシャフトの軸線Ｓと、ゴルファーの首の付け根部分とボールを結ぶ軸線Ｓ´の範囲内にあることが、良いスイングプレーンであるといわれている。すなわち、軸線Ｓと軸線Ｓ´の範囲内にスイングプレーンがあるようにスイングすることで、理想的なスイング軌道となり、スイートスポットで安定したインパクトを実現することが容易になる。
【０００６】
ところで、ボールをインパクトするに至るまでのスイング中に、不自然な力が作用すると、スイングプレーンが安定しないという問題がある。この不自然な力は、主にシャフトの先端に装着されたヘッドに作用する遠心力によってもたらされるのであり、このことからヘッドにおける重量バランスは、スイングプレーンを安定化させる上では、重要な要素であると考えられる。
【０００７】
上記した特許文献１や特許文献２に開示されているゴルフクラブのヘッドは、図３（ａ）に模式的に示すように、ヘッドに取り付けられている重量体Ｍ１が水平方向（ここでの水平方向は、ゴルフクラブのヘッドをライ角に沿ってアドレスした際の基準となる水平面Ｐに沿った方向である）でトウ・ヒール方向に広がっており、このようなゴルフクラブを実際にスイングすると、ダウンスイングしてからインパクトに至るまでに、ヘッドの先端側が引っ張られるような感覚となる。すなわち、ヘッドの先端側が引っ張られることで、安定したスイングプレーンを実現するのには妨げとなっている。
【０００８】
これを具体的に説明すると、ダウンスイングを行なっている最中に、ヘッド部分に加わる遠心力（上記した重量配分によって生じる遠心力）を考慮した場合、図３（ａ）に示すように、トウ側に移行するほど、その力が大きくなる傾向となる。これを簡略化して説明すると、上記した重量配分において、トウ側の位置Ｐ１に作用する遠心力をＦ１、中央の位置Ｐ２に作用する遠心力をＦ２、ヒール側の位置Ｐ３に作用する遠心力をＦ３とすると、Ｆ１＞Ｆ２＞Ｆ３となる。これは、ヘッドに作用する遠心力は、ヘッドが近似的に遠心軌道を描くと仮定して、その角速度をω、各位置における重量をｍとすると、Ｆ＝ｍｒω2 によって定義される（ｒは、遠心軌道の中心軸であるスイング軸からシャフト方向に沿って重量が存在する位置までの距離）。
【０００９】
上記した重量配分において、重量が均一にトウ・ヒール方向に配分されていることを考慮すると、各位置で作用する重量および角速度は同一であるが、水平方向に配分された重量体では、スイング軸からシャフト方向に沿って夫々の重量成分が存在する位置までの距離ｒ１，ｒ２，ｒ３は夫々異なってしまう（ｒ１＞ｒ２＞ｒ３）。すなわち、距離の相違によって、上記した式から、各部において、重量体Ｍ１によって生じる力は、上記したようにＦ１＞Ｆ２＞Ｆ３となってしまう（図３（ａ）において各位置に作用する遠心力をベクトルで示しており、ヘッドの各位置での略シャフト方向に沿って作用する遠心力はトウ側の方が大きい）。
【００１０】
そして、このようにヘッドの各位置において相違する遠心力（トウ側が大きい）は、その相違する分が、ダウンスイング中に、理想のスイングプレーンから外すように作用するようになる。すなわち、相違する分のシャフト方向に沿った遠心力の垂直方向Ｘの分力は、図３（ａ）の矢印Ｄ１で示す方向にヘッドを引っ張ろうとするため、シャフトのグリップ部分には、矢印Ｄ１´方向の力が作用して、安定したスイングプレーンを妨げる要素となる。また、水平方向Ｙの分力は、図４の矢印Ｄ２で示す方向にヘッドを引っ張ろうとするため、これも安定したスイングプレーンを妨げる要素となってしまう。
【００１１】
また、この水平方向Ｙの分力は、インパクト時において、ターゲットラインＴに対してヘッドをインサイドアウトスイングＳ２にする傾向が強くなり、安定したインパクトをする上で妨げとなってしまう（理想的には、ターゲットラインＴに沿ったインサイドインスイングＳ１でインパクトできれば良いが、逆に、ヒール側に作用する力が大きくなりすぎると、アウトサイドインスイングＳ３にする傾向が強くなって、これも安定したインパクトをする上では妨げとなってしまう）。
【００１２】
以上のように、ヘッドに、基準水平面Ｐに沿ってトウ・ヒール方向に延出する重量集中体があると、ゴルファーは、ダウンスイング中に、その水平方向に延在する重量配分による遠心力の変化を感じ取ってしまうようになる。この場合、上級者のレベルであれば、意識的に、或いは無意識に手首等を操作してスイングプレーンを安定化させる技術を持ち合わせているが、そのような技術を持ち合わせていないゴルファーでは、その力の変化によって生じる不安定なスイングプレーンで打球したり、或いは、スイングプレーンを安定化する操作が充分にしきれないまま打球を行なっている。
【００１３】
また、上記したような重量体を設けていない一般的なヘッドであっても、通常、ヘッドのソール部分は、低重心化が図れるように、厚肉で水平方向に沿って形成されていることから、その重量配分は、図３（ａ）の重量体Ｍ１に示すように、水平方向に沿ってトウ・ヒール方向に広がった状態となっており、ダウンスイング時に、安定したスイングプレーンを妨げる要因となっている。
【００１４】
以上の説明から、インパクトに至るまでのスイングにおいて、ヘッドには、極力、図３（ａ）に示すような矢印Ｄ１方向の力、及び図４に示すような矢印Ｄ２方向の力が発生しないように構成することで、安定したスイングプレーンが維持できるものと考えられる。そして、このように、図３（ａ）に示すような矢印Ｄ１方向の力、及び図４に示すような矢印Ｄ２方向の力が発生しないようにして安定したスイングプレーンが得られることに加え、更に、ヘッドは、従来のように低重心化されていることが望ましい。
【００１５】
本発明は、上記した問題に基づいてなされたものであり、アドレスからインパクトするまでのスイングプレーンの安定化が図れ、インパクト時に安定した打球が得られるゴルフクラブを提供することを目的とする。
【課題を解決するための手段】
【００１６】
上記した目的を達成するために、本発明に係るゴルフクラブは、トウ部、ヒール部、ソール部及びボールを打球するフェース部を具備したヘッドと、前記ヘッドに対して所定のライ角で装着されるシャフトとを有しており、前記ソール部に沿ってヒール側からヘッド中央部に亘って設けられると共に、前記ヘッド中央部からトウ側に向けて、前記ライ角を規定する基準水平面に対し上昇するように設けられる重量集中部を備えたことを特徴とする。
【００１７】
上記したゴルフクラブのヘッドは、重量が集中する部分（ヘッドの素材を厚肉にして部分的に集中させたもの、或いは、ヘッドの素材よりも高比重な部材を取着したもの等）がソール部に沿ってヒール側からヘッド中央部に亘って設けられると共に、ヘッド中央部からトウ側に向けて上昇するように設けられている。このため、スイング軸からシャフト方向に沿って重量が存在する位置までの距離を、トウ側とヒール側で可及的に略等しいか等しくなる傾向に設定することが可能となる（ヘッド中央部では、トウ側とヒール側に比べて距離が長くなる）。すなわち、図３（ｂ）に示すように、ダウンスイングを行なっている最中に、ヘッド部分に加わる遠心力は、位置Ｐ１におけるトウ側Ｆ１、位置Ｐ３におけるヒール側Ｆ３を略同じような大きさ又はその傾向にすることが可能となり、位置Ｐ２における中央部Ｆ２を、Ｆ１，Ｆ３よりも大きく設定することが可能となる。このように、ヘッドの両端側（トウ部領域、及びヒール部領域）で作用する遠心力が相対的に安定化することから、ダウンスイング中に、ヘッドの先端側に、図３（ａ）や図４に示したような不自然な力（Ｄ１，Ｄ２方向の力）が作用することを防止でき、ダウンスイングからインパクトに至るまでに、安定したスイングプレーンで打球することが可能となる。
【００１８】
また、重量集中部は、ソール部に沿ってヒール側からヘッド中央部に亘って設けられていることから、従来のように、低重心化を図ることができると共に、上記したようにヘッドの中央部分に作用する遠心力Ｆ２が大きいことから、ダウンスイング中にその部分を感知し易くなって、ヘッドのスイートスポットでボールを捕らえ易くなり、打球の方向性が安定すると共に、飛距離の向上が図れるようになる。
【発明の効果】
【００１９】
本発明によれば、アドレスからインパクトするまでのスイングプレーンの安定化が図れ、インパクト時に安定した打球が得られるゴルフクラブが得られるようになる。
【発明を実施するための最良の形態】
【００２０】
以下、本発明に係るゴルフクラブの実施形態について説明する。  
図５から図１０は、本発明に係るゴルフクラブ（アイアンタイプ）の第１の実施形態を示す図であり、図５は、ゴルフクラブの正面図、図６は、ヘッド部分の拡大図、図７は、ヘッド部分をバック側から見た図、図８は、図６のＡ−Ａ線に沿った断面図、図９は、図６のＢ−Ｂ線に沿った断面図、そして、図１０は、重量集中部を配置したヘッド部分の構成を示す図である。
【００２１】
本実施形態に係るゴルフクラブ１は、シャフト５の先端に、ヘッド（アイアンヘッド）７を止着して構成されており、シャフト５とヘッド７は、ゴルフクラブ１を基準水平面Ｐに対して構えた際、シャフト５の軸線ＳＸと基準水平面Ｐとの間が所定のライ角αとなるように設定されている。前記ヘッド７は、トップ部７ａ、ソール部７ｂ、トウ部７ｃ及びヒール部７ｄを具備したリング状に一体形成された周縁壁７Ｈを備えており、その周縁壁７Ｈの前面側に凹所７ｅを形成し、ここにフェース部７ｆを構成する板状のフェース部材８を接着、溶着、圧入等の固定手段によって止着することで構成されている。このため、ヘッド７は、フェース部材８の裏面側が、図８及び図９に示すように、後方側に向けて開口する開口部（キャビティ）９を備えたいわゆるキャビティ構造となっており、これにより、フェース部７ｆの周囲にウェイトを分散させて慣性モーメントを大きし、打球時にヘッドをブレ難くして方向性の安定化が図れるように構成されている。また、前記ヒール部７ｄの上面側には、シャフト５が差し込まれる孔を有するホーゼル１０が一体的に突出形成されている。
【００２２】
なお、前記ヘッド７の周縁壁７Ｈは、ステンレス合金やチタン合金等の金属材料によって一体形成されており、ここに止着されるフェース部材８も、ステンレス合金やチタン合金等の金属材料によって形成されている。また、フェース部材８の打球面側には、トウ・ヒール方向に沿ってスコアライン８ａが形成されている。
【００２３】
上記した周縁壁７Ｈを構成するソール部７ｂには、重量集中部（ヘッド７と別体で固定される重量体）１５が一体的に設けられている。この重量集中部１５は、その周辺部よりも大きな質量を集中させた部分であって、ソール部７ｂに沿ってヒール側からヘッドの中央部に亘って設けられると共に、ヘッドの中央部からトウ側に向けて、ヘッド７のライ角αを規定する基準水平面Ｐに対し上昇するように設けられている。
【００２４】
前記重量集中部１５は、ヘッド７の構成材料よりも比重の大きい材料、例えば、タングステン金属、銅合金等で一体形成されており、前記周縁壁７Ｈに予め形成された溝部７ｇに、接着、溶着、圧入、ロー付け等によって固定されている。本実施形態の重量集中部１５は、ヒール側からヘッドの中央部に亘る領域が、ソール部７ｂの下面側及びバック側に露出し、かつヘッドの中央部Ｃからトウ側に向けて上昇する領域が、ソール部７ｂのバック側に露出するように周縁壁７Ｈに固定されている（図８、図９参照）。すなわち、重量集中部１５は、ヘッド７のソール部７ｂの最もバック側に固定されると共に、ヒール側からヘッドの中央部に亘る領域では、最も下面側に位置するように固定されている。
【００２５】
上記したようなヘッド７を装着したゴルフクラブによれば、重量集中部１５が、トウ・ヒール方向でヘッド７のライ角αを規定する基準水平面Ｐに沿って配置されるのではなく、ソール部７ｂに沿ってヒール側からヘッドの中央部に亘って設けられると共に、ヘッドの中央部からトウ側に向けて上昇するように設けられている。このため、スイング軸からシャフト方向に沿って重量が存在する位置までの距離を、トウ側とヒール側で可及的に略等しいか等しくなる傾向に設定することが可能となる（ヘッドの中央部では、トウ側とヒール側に比べて距離が長くなる）。
【００２６】
すなわち、図３（ｂ）に示すように、ダウンスイングを行なっている最中のヘッド部分に加わる遠心力に関し、図３（ａ）に示す構成とは異なって、位置Ｐ１におけるトウ側Ｆ１、位置Ｐ３におけるヒール側Ｆ３を略同じような大きさ又はその傾向にすることが可能となり、位置Ｐ２における中央部Ｆ２を、Ｆ１，Ｆ３よりも大きく設定することが可能となる。換言すれば、位置Ｐ２を中心にしてヘッドの両端側（トウ側、及びヒール側）で作用する遠心力が相対的に安定化することから、ダウンスイング中に、ヘッドの先端側に、図３（ａ）や図４に示したような不自然な力（Ｄ１，Ｄ２方向の力）が作用することを防止でき、ダウンスイング時において、ヘッド重量の割には、相対的にスイングプレーンを安定化することが可能となる。この結果、安定したスイングプレーンで打球することができるため、ヘッドのスイートスポットでボールを捕らえ易くなり、打球の方向性が安定すると共に、飛距離の向上が図れるようになる。
【００２７】
また、上記した重量集中部１５は、ヒール側から中心部に亘って、ソール部７ｂの最下端位置に配置されることから、低重心化が図れ、振り抜き性が向上すると共に、打球を高弾道にして飛距離の向上が図れるようになる。また、重量集中部１５は、ソール部７ｂの後方側に固定されていることから、重心深度を大きくすることが可能となり、スイートスポットを広くして、打球時に上下方向にブレ難くすることができる。更に、上述したように、周縁壁７Ｈによって、重心まわりの慣性モーメントが大きくなるように設定できるので、上下方向及び左右方向の打点ブレに強いゴルフクラブが提供されるようになる。すなわち、打球時に上下方向や左右方向に打点ブレが生じても、ヘッド７の動きを抑制することが可能となり、方向性が安定したゴルフクラブが得られる。
【００２８】
そして、上記したようなアイアンクラブでは、図１０に示すように、フェース部７ｆに形成されたスコアライン８ａの中央線Ｃ上において、ボールを基準水平面Ｐに設置した状態で、ボールのセンターＢＣがフェース部材８と垂直に交差する点Ｉ（このような位置を打点位置Ｉとする）で打球が成されるのが好ましい。この場合、理想となるスイングプレーンＳＰは、通常、ライ角αを規定するシャフト軸ＳＸよりも大きい角度で基準水平面Ｐと交差することから、このスイングプレーンＳＰが、上記した打点位置Ｉで交差した状態になるのが最も好ましく、しかも、ダウンスイング時において、この位置で、特に重量集中部１５による重量が感知できるようになっていることが好ましい。
【００２９】
具体的には、上述したように、重量集中部１５は、ヒール側からヘッド中央部まで延出すると共に、ヘッド中央部から上昇するように構成されているが、その上昇位置が中央線Ｃよりもヒール側になってしまうと、図３（ｂ）に示したスイング軸からシャフト方向に沿って重量が存在する位置までの距離が短くなる傾向となって、位置Ｐ２における中央部での遠心力Ｆ２が小さくなってしまう。このため、重量集中部１５の上昇位置ＰＵを、図１０に示すように、中央線Ｃよりもトウ側に設定しておくことで、位置Ｐ２における中央部での遠心力Ｆ２を大きくすることが可能となり、ダウンスイングした際、重量集中部１５による重量成分を感知させて、ヘッドを理想的なスイングプレーンＳＰ方向に順行させ易くなり、結果的に理想的な打点位置である、スコアライン８ａの中央線Ｃ上の点打位置Ｉで打球させ易くなる。
【００３０】
従って、上記した重量集中部１５は、ヒール側からヘッド中央部に亘って設けられているが、この中央部は、フェース部に形成されたスコアライン８ａ形成領域の中央線Ｃ付近であれば良く、特に、上記したように、重量集中部１５の上昇位置ＰＵが、中央線Ｃよりもトウ側にあることが好ましい（中央線Ｃよりもヒール側であっても良いが、この場合、打点位置Ｉの感知は多少劣ってしまう）。なお、重量集中部１５の上昇位置ＰＵは、トウ側に移行し過ぎると、打点位置Ｉを感知し難くなり、また、図３（ａ）や図４に示したような不自然な力（Ｄ１，Ｄ２方向の力）が作用する傾向となるため、以下の範囲に設定することが好ましい。すなわち、図１０に示すように、中央線Ｃからトウ部先端までの距離をＲ１とした場合、中央線Ｃからヒール側に同じ距離Ｒ１をとって、ヘッドのトウ・ヒール方向の幅を考慮する。このとき、ヘッドの幅（Ｒ１＋Ｒ１）を三等分したときの中央部Ｒｃの範囲内に、上記した重量集中部１５の上昇位置ＰＵが位置するように形成するのが好ましい。なお、重量集中部１５は、三等分したときの中央部Ｒｃの範囲内に形成しておいても良いが、図に示すように、両端側が、トウ部側Ｒｔの範囲内、及びヒール側Ｒｈの範囲内に延出するように形成しておくことで、長い範囲に亘って重量を感知することができ、フェースの向きを感知し易くなる。
【００３１】
そして、上記した構成において、ヘッド７は、スイートスポットの位置が、打点位置Ｉに一致するように重心を設定しておくことが好ましい。すなわち、スイートスポットが打点位置Ｉに一致することで、理想的な位置で打球を行なわせることが可能になる。
【００３２】
また、上記した構成において、重量集中部１５は、図１０に示すように、ライ角αよりも大きい上記した理想的なスイングプレーンＳＰに対して、略対称となる形状（重量バランスが取れた形状）となるように形成しておくことが好ましい。すなわち、このように構成することで、ヘッドの中央部に作用する遠心力が大きく、かつ、この中央部を中心として、トウ側及びヒール側に作用する遠心力のバランスが取れるため、スイングプレーンが安定してスイートスポット近傍における重量が感知し易くなって、より打点が安定するようになる。
【００３３】
更に、上記した構成では、重量集中部１５に関し、ヘッドの中央部における重量が感知し易くなるように、この部分の重量を、他の領域よりも重くなるように構成しておくことが好ましい。例えば、図８及び図９に示すように、重量集中部１５の中央部における肉厚Ｔを、トウ側やヒール側の肉厚Ｔ１（トウ側のみ図示）よりも厚くすることで、ヘッドの中央部の重量が重くなり、この部分の重量を感知させ易くできると共に、ヘッドの順行性を向上することが可能になる。
【００３４】
また、上記した構成において、重量集中部１５が上昇する方向性については、ゴルフクラブを、そのクラブのライ角通りに設置した際、基準水平面Ｐに対して傾斜角度θが３°〜４５°の範囲、好ましくは５°〜３０°の範囲に設定されているのが良い。すなわち、傾斜角度θが３°よりも小さいと、図３（ａ）に示した現象から、スイングプレーンが安定しない傾向が強くなり、また、傾斜角度θが４５°よりも大きくなると、トウ側においてヘッドの高い位置に重量集中部が構成され、重心が高くなり過ぎて、打球時にヘッドが上下方向にぶれ易くなって飛距離が得られ難くなってしまう。また、４５°よりも大きいと、重量集中部１５がトウ・ヒール部に向けて充分な長さが確保できなくなってしまい、スイングプレーンを安定させ難くなってしまう。
【００３５】
図１１から図１４は、本発明の第２の実施形態を示す図であり、図１１は、ヘッドをバック側から見た図、図１２は、ヘッドをトウ側から見た図、図１３は、図１１のＣ−Ｃ線に沿った断面図、そして、図１４は、図１１のＤ−Ｄ線に沿った断面図である。
【００３６】
上記した実施形態では、重量集中部１５をヘッド７とは別体で形成しておき、これをヘッド７の溝部７ｇに対して固定するよう構成されていたが、ヘッド７に設けられる重量集中部はヘッド７の材料そのもので構成しても良い。例えば、上記した実施形態において、重量集中部１５が固定される領域について、これを、他の部分と比較して厚肉状にすることで、重量を集中させたものであっても良い。
【００３７】
すなわち、図１１から図１４に示すように、ヘッド７のバック側のソール部７ｂに、このソール部に沿って後方側に突出するように重量集中部２５を一体形成し、この重量集中部２５をソール部に沿ってヒール側からヘッド中央部に亘って形成すると共に、ヘッド中央部からトウ側に向けて上昇するように一体形成したものであっても良い。
【００３８】
このような構成によれば、ヘッド７を鋳造等によって形成する際に、重量集中部２５を併せて一体形成することが可能となり、製造工程が簡略化され、コストの低減を図ることが可能になる。また、重量集中部２５を一体形成することで、別体としての重量部材を固定するに当たって使用される溶接材等による重量変化を考慮する必要もなくなる。
【００３９】
以上、本発明の実施形態について説明したが、本発明は、上記した実施形態に限定されることはなく、種々変形することが可能である。例えば、重量集中部は、上記した第１の実施形態のように、別体としてヘッド７に固定する構成においては、図７から図９に示したように、ヘッド７の外部に露出した状態で固定しても良いし、ソール部分に埋設されて外部に露出しないように構成されていても良い。或いは、重量集中部は、部分的に外部に露出したものであっても良い。
【００４０】
また、重量集中部１５，２５は、上記したような方向性を持ってヘッド７のソール部分に設けられたものであれば良く、連続形成することなく、上記した所定の方向性を持って点在するように構成されたものであっても良い。例えば、多数の重量体を隣接させて方向性を持って配置（方向性をもって点在させる）することで構成しても良い。この場合、隣接する重量体は、ソール部７ｂのバック側、或いは下面に溶接や接着によって止着しても良いし、ソール部７ｂと共に一体成形によって構成したものであっても良い。
【００４１】
なお、上記したような方向性を持って設けられる重量集中部１５，２５の重量は、ヘッド７全体の重量（シャフト５を取り外した際のヘッド７を構成する周縁壁７Ｈ及びフェース部材８の重量）に対して、８〜７０％を占めるように形成するのが好ましい。すなわち、このような範囲に設定するのは、８％よりも少ない比率で構成すると、重量集中の度合いが感知し難く、また、低重心化が困難になるからであり、７０％よりも大きい比率で構成すると、ヘッドの周辺への重量配分が小さくなり過ぎて、スイートエリアが小さくなり過ぎるからである。特に好ましいのは、１８〜３５％の範囲であり、このようにすることで、スイートスポット（重心Ｇからフェース面に下ろした垂線との交点）ＳＳの高さＨｓ（接地面からＳＳまでの高さ）をボールの半径である２１．３ｍｍ以下の低重心にでき、同時に重心回りのトウ・ヒール方向の慣性モーメントも平均的な２３００ｇ・ｃｍ2 を満たすことが容易となる。
【００４２】
また、重量集中部１５，２５については、その周囲の部分との対比でメリハリを大きくし、重量集中の度合いを感知できるようにしておくことが好ましい。例えば、ヘッド７とは別体で重量集中部１５をヘッド７に固定する構成であれば、ヘッド７を構成する材料の比重に対して、１．２〜４．５倍程度の材料を用いることが好ましい。特に、Ｎｉを含んだタングステン合金は、比重だけでなく、その加工性、接合性の点より設計の自由度が高くなり、より好ましい。
【００４３】
また、重量集中部１５，２５は、図に示したように、トウ・ヒール方向、及び上昇する方向で直線状に構成される以外にも、湾曲状に構成されていたり、必要に応じて、部分的に厚肉化したり薄肉化したものであっても良い。
【００４４】
また、ヘッド７については、上記した実施形態では、キャビティタイプのものを例示して説明したが、いわゆるプレーンタイプのもの、中空タイプのものにも適用することが可能である。
【図面の簡単な説明】
【００４５】
【図１】ゴルファーのスイング軌道を説明する模式図。
【図２】図１のスイング軌道を正面から見た図。
【図３】ゴルフクラブをダウンスイングした際にヘッド部分に作用する遠心力を概略的に示す正面図であり、（ａ）は、従来のゴルフクラブを示す図、（ｂ）は、本発明に係るゴルフクラブを示す図。
【図４】インパクト時におけるヘッドの動きを示す平面図。
【図５】本発明に係るゴルフクラブ（アイアンタイプ）の第１の実施形態を示す図であり、ゴルフクラブの正面図。
【図６】ヘッド部分の拡大図。
【図７】ヘッド部分をバック側から見た図。
【図８】図６のＡ−Ａ線に沿った断面図。
【図９】図６のＢ−Ｂ線に沿った断面図。
【図１０】重量集中部を配置したヘッド部分の構成を示す図。
【図１１】本発明の第２の実施形態を示す図であり、ヘッドをバック側から見た図。
【図１２】ヘッドをトウ側から見た図。
【図１３】図１１のＣ−Ｃ線に沿った断面図。
【図１４】図１１のＤ−Ｄ線に沿った断面図。
【符号の説明】
【００４６】
１  ゴルフクラブ
５  シャフト
７  ヘッド
７ａ  トップ部
７ｂ  ソール部
７ｃ  トウ部
７ｄ  ヒール部
７ｆ  フェース部
７Ｈ  周縁壁
８  フェース部材
１５，２５  重量集中部（重量体）
Ｐ  基準水平面
ＳＸ  シャフトの軸線
【図１】
2006122371.tif 000003
【図２】
2006122371.tif 000004
【図３】
2006122371.tif 000005
【図４】
2006122371.tif 000006
【図５】
2006122371.tif 000007
【図６】
2006122371.tif 000008
【図７】
2006122371.tif 000009
【図８】
2006122371.tif 000010
【図９】
2006122371.tif 000011
【図１０】
2006122371.tif 000012
【図１１】
2006122371.tif 000013
【図１２】
2006122371.tif 000014
【図１３】
2006122371.tif 000015
【図１４】
2006122371.tif 000016